(57)【特許請求の範囲】
【請求項１】
並列して設置した大引の上に、根太を交叉させて設置し、根太の上に床パネルを設置し、床パネル上の水を、根太と一体に形成した排水路から大引と一体に形成した排水路を通し、外部に排水する床構造であって、根太及び床パネルの荷重を支える部分である大引本体を、金属製にするとともに、排水を受ける部分である大引排水路を合成樹脂のみで製造した床構造。
【請求項２】
前記大引本体を、ステンレススチール製とした請求項１記載の床構造。
【発明の詳細な説明】
【０００１】
【発明の属する技術分野】
本発明は、水を使用して床の清掃を行う建築物の床に関する。
【０００２】
【従来の技術】
水を使用して清掃を行なう床構造として、本件出願人が出願した特許第２５３９７０９号の特許公報に記載された発明がある。
【０００３】
この特許第２５３９７０９号の特許公報に記載された床構造は、床パネルの両縁の間に目地材を挟置して床部を構成し、床パネルの両縁をそれぞれ支持するフランジ部を両側の開放側端縁に有する溝型材からなる根太材を複数並置している。また、前記根太材を直角に支持する複数の大引き材を設け、この大引き材と根太材との交接部において、大引き材、根太材にそれぞれ設けられた通水孔が一致するように固定されている。そして、前記目地材、根太材、根太材の通水孔、大引き材と流下する床部に流された洗浄水を排水管に導入する排水装置を設けてある。
【０００４】
【発明が解決しようとする課題】
ところで、このような床構造を施工するには、根太や大引にステンレススチールを使用している。また、大引には、特に多量の荷重がかかるので、鋼管を使用することも多かった。
【０００５】
そして従来は、根太や大引内を水通路としているので、鋼管の場合は、防錆処理（防錆コーティング）をしていた。
床構造の構成部材にステンレススチールを使用する場合は、錆難いが高価となってしまう。また、構成部材に鋼管を使用した場合は、防錆処理等の加工が面倒であった。
【０００６】
本発明は前記事項に鑑みなされたものであり、排水機能を有する床構造を、施工がし易く、低コストにて提供できるようにすることを課題とする。
【０００７】
【課題を解決するための手段】
本発明は、並列して設置した大引の上に、根太を交叉させて設置し、根太の上に床パネルを設置し、床パネル上の水を、根太と一体に形成した排水路から大引と一体に形成した排水路を通し、外部に排水する床構造であって、根太及び床パネルの荷重を支える部分である大引本体を、金属製にするとともに、排水を受ける部分である大引排水路を合成樹脂のみで製造した床構造とした。前記大引本体は、ステンレススチール製とすることができる。
【０００８】
【発明の実施の形態】
以下図に基づいて本発明の実施の形態の説明をする。図は本発明の床構造の一実施の形態の説明用の図である。
【０００９】
この実施の形態の床構造は、並列して設置した鋼鉄製の大引３０の上に、鋼鉄製又はステンレス・スチール製の根太１０を、直角又は所定の角度で交叉させて設置し、根太１０の上に床パネル５を設置してある。床パネル５は、隣接する根太１０間に設置されるものであり、隣接する床パネル５の縁部間には、根太１０上にて所定間隔が開けられ、床パネル５上の水が根太１０側に流下するスリット部となる。そして、複数の床パネル５が平面マトリックス状に根太１０上に設置されて、全体床を構成している。
【００１０】
また、大引３０の下部には、支柱３５を所定間隔毎に設置してあり、支柱３５の底部はコンクリートスラブ等の基礎部分に固定されている。すなわち、複数の支柱３５が、大引３０にかかる荷重を分散して受けるようになっている。
【００１１】
また、大引３０には、排気筒３７が接続されており、床パネル５上に臭気が漂わないように、根太１０及び大引３０を経て、排気筒３７から床パネル５上の空気を排気できるようになっている。
【００１２】
大引３０においては、根太１０や床パネル５の荷重を支える部分である大引本体３１を、鋼鉄製の金属製にするとともに、排水を受ける部分である大引排水路３３を、合成樹脂製とした。
【００１３】
本実施形態における床構造は、大引３０の排水を受ける部分と、強度を有する部分とを、別々に構成した。
すなわち、大引３０を鋼鉄製の大引本体３１と、大引本体３１の内側内等に設けた合成樹脂製の大引排水路３３により構成してある。図３に示す例では、大引本体３１を、コ字型部と、このコ字型部に連設された樋型部により構成し、樋型部の内側に、大引排水路３３を設けた。
【００１４】
なお、大引３０の構成は、図５に示すように大引本体３１の形を様々な形に形成することができる。すなわち、図５の（ａ）タイプは、大引本体３１をＬ字型に形成し、大引本体３１の内側に、大引排水路３３を設けたものである。また、図５の（ｂ）タイプは、大引本体３１を角型（Ｃ型状）に形成し、大引本体３１内に、大引排水路３３を設けたものである。さらに、図５の（ｃ）タイプは、大引本体３１を湾曲型（Ｃ型状）に形成し、大引本体３１内に、大引排水路３３を設けたものである。
【００１５】
従来大引本体３１自体を管路として使用する大引３０は、大引本体３１自体を筒状にせざるを得なかったが、本実施形態では、大引本体３１を、根太１０の荷重を支えられると共に、大引排水路３３を支えられればよいので、前記のように様々なタイプに形成できるものである。
【００１６】
図６に示すトラップ５０は、大引３０に連通させ、大引３０からトラップ５０を介して、外部に排水を流すものであり、臭気の逆流や害虫の侵入を防止するためのものである。
【００１７】
そして、この実施の形態では、根太１０は、ステンレススチールにより全体が形成されている。根太１０の下部には、連通路１２が形成されており、根太１０と大引３０とを連通している。
【００１８】
また、根太１０の上部には、導水管１５が２条設けられており、床パネル５上に洗浄水を散水できるようになっている。そして、導水管１５の上面には、水噴射孔が多数形成されている。この導水管１５は、根太１０の上（隣接する床パネル５間）の、ステップ（使用者が歩くための渡り板）の役割をも果たすものである。
【００１９】
なお、本発明は、大引３０を荷重機能部分と排水機能部分に分けて構成したものであるが、根太１０を、荷重機能部分と排水機能部分とに分けて構成し、荷重機能部分を金属製にするとともに、排水機能部分を合成樹脂製とすることもできる。
【００２０】
【発明の効果】
本発明は、床パネルや根太の荷重を支える部分である大引本体等を金属製にするとともに、排水を受ける部分である大引排水路等を合成樹脂製とした床構造とした。
【００２１】
したがって、本発明は、床構造の主要な部分を、二つの部分に分け、大きな荷重のかかる大引本体等は、大きな耐強性のある金属製とし、錆易い部分である大引排水等は、耐腐食性の大きな合成樹脂製とし、床構造の主要な部分を、耐強性が大きく、かつ、錆難いものとした。
【図面の簡単な説明】
【図１】本発明の一実施の形態の説明用の部分斜視図。
【図２】本発明の一実施の形態の説明用の部分平面図。
【図３】本発明の一実施の形態の説明用の図で、図２のＡ−Ａ’線の断面図。
【図４】本発明の一実施の形態の説明用の図で、図２のＢ−Ｂ’線の断面図。
【図５】本発明の実施の形態の説明用の図で、各種の実施の形態の大引の大引本体を示す図。
【図６】本発明の一実施の形態の説明用のトラップを設けた部分の断面図。
【符号の説明】
５  床パネル
１０  根太
１２  連通路
１５  導水管
３０  大引
３１  大引本体
３３  大引排水路
３５  支柱
３７  排気筒
５０  トラップ
【図１】
0004435442.tif 000002
【図２】
0004435442.tif 000003
【図３】
0004435442.tif 000004
【図４】
0004435442.tif 000005
【図５】
0004435442.tif 000006
【図６】
0004435442.tif 000007